(57)【要約】      （修正有）【課題】鎧の佩楯の取付け・固定を容易にするとともに平飾台の使用を省いて鎧の飾り付けを可能にする五月節句用飾鎧を提供する。【解決手段】飾り主体となる鎧の佩楯に取付けられる適宜長さの平帯を、飾台兼用容箱のかぶせ蓋の角面上に斜めに這わせ、かつ、この平帯の両端を、かぶせ蓋と身との相互間にかませることで佩楯を固定させる。平帯の両端を、かぶせ蓋の上面に載置する平台の角面上に斜めに這わせ、かつ、この平帯の両端を平台の下側とかぶせ蓋との間に折り込むようにすることで佩楯を固定させる。飾台兼用容箱は、上縁に沿って載置枠を周設し、上方開放する箱部ならびに載台枠に支持して箱部の上面を覆うかぶせ蓋からなる。【選択図】図１
0003163516.tif 000002
【実用新案登録請求の範囲】
【請求項１】
飾り主体となる鎧の佩楯に取付けられる適宜長さの平帯を、飾台兼用容箱のかぶせ蓋の角面上に斜めに這わせ、かつ、この平帯の両端を、前記かぶせ蓋と身との相互間に  かませることで佩楯を固定させることができることを特徴としている五月節句用飾鎧。
【請求項２】
飾り主体となる鎧の佩楯に取付けられる適宜長さの平帯の両端を、飾台兼用容箱の  かぶせ蓋の上面に載置する平台の角面上に斜めに這わせ、かつ、この平帯の両端を平台の下側と前記かぶせ蓋  との間に折り込むようにすることで佩楯を固定させることを特徴としている請求項１記載の五月節句用飾鎧。
【請求項３】
前記飾台兼用容箱は、上縁に沿って載置枠を周設し、上方開放する箱部ならびに前記載台枠に支持して箱部の上面を覆う  かぶせ蓋からなることを特徴としている請求項１、２記載の五月節句用飾鎧。
【考案の詳細な説明】
【考案の詳細な説明】
【技術分野】
【０００１】  この考案は、五月節句用飾鎧に関するものである。
【技術背景】
【０００２】  従来公知の五月節句用飾鎧飾りの様式に、例えば、平台飾り鎧が存在する。これは、平飾台の表面に鎧櫃を載置させ、この鎧櫃の  かぶせ蓋上に鎧を常法により飾り付けるようにしたものである。
【０００３】  しかし、本物高級指向の鎧櫃と平飾台は木製であるから、その製作に当っては、木材の膨張や収縮によるゆがみなどを避けるため、木材素地に塗装を施したり、或いは美艶（光沢）を付与する手段として鏡面仕上げ（ピアノ塗装）を施している。
【０００４】  即ち、鎧飾りは、平飾台と鎧がセットされているものであるため、その飾り付けに手間を要する等の面倒があったり、平飾台を使用することで、五月節句用飾鎧にコスト高を齎し、更には、節句時には平飾台の大きさに相当する室内スペース（置きスペース）を確保しなければならない等の問題点を有するものであった。
【考案の開示】
【考案が解決しようとする課題】
【０００５】  そこで、この考案は、上述のような問題点を解決すべく案出されたもので、詳しくはこの考案は、鎧の飾り付けに際し、従来使用していた平飾台の使用を皆無にすることができると共に、鎧の飾り付け作業や節句終了後における鎧の取扱い・保管がすこぶる楽になり、しかもシンプル指向にして見映えが良く、低コストにつながる五月節句用飾鎧を得ることを目的とするものである。
【課題を解決するための手段】
【０００６】  以下、この考案の実施例を図面に基づき説明すると、この考案は、飾り主体となる鐙の佩楯に取付けられる適宜長さの平帯の両端を、飾台兼用容箱のかぶせ蓋の角面上に斜めに這わせ、かつ、この平帯の両端を、前記かぶせ蓋と身との相互間に  かませることで佩楯を固定させることができる五月節句用飾鎧を特徴としている（請求項１）。【０００７】  また、この考案は、飾り主体となる鎧の佩楯に取付けられる適宜長さの平帯の両端を、飾台兼用容箱の  かぶせ蓋の上面に載置する平台の角面上に斜めに這わせ、かつ、この平帯の両端を平台の下側と前記かぶせ蓋  との間に折り込むようにすることで佩楯を固定させることができる五月節句用飾鎧を特徴としている（請求項２）。【０００８】  更に、前記飾台兼用容箱は、上縁に沿って載置枠を周設し、上方開放する箱部ならびに前記載台枠に支持して箱部の上面を覆う  かぶせ蓋からなることを特徴としている（請求項３）。
【考案を実施する最良の形態】
【０００９】  以下、この考案の実施形態を添付図面に基づき説明する。
【００１０】  図１は、五月節句用飾鎧の飾り形態を示す斜視図である。
【００１１】  この考案において、飾鎧Ａは、上縁に沿って載置枠１を周設した上方開放する箱部２と、前記載置枠１に支持して箱部２の上面を覆う  かぶせ蓋３からなる飾台兼用容箱Ｂの、かぶせ蓋３表面に常法により腰座させた形態で飾り付けられる。
【００１２】  図面符号４は、飾鎧Ａの草摺の下端から膝頭までを被う佩楯を示し、この佩楯４の上部には、適宜長さを有する平帯５が取付けられ、請求項１記載のようにこの平帯５の両端を、飾台兼用容箱Ｂの  かぶせ蓋３の角面上を斜めに這わせ、かつ、この平帯５の両端を前記かぶせ蓋３と、身との相互間にかませることで、佩楯４を固定させるように構成している（図４参照）。
【００１３】  また、請求項２記載のように、前記佩楯４に設けた平帯５の両端を、飾台兼用容箱Ｂの  かぶせ蓋３の上面に載置される平台６の角面上に斜めに這わせ、かつ、平帯５の両端を平台６の下側と、前記かぶせ蓋３との間に折り込むようにすることで、佩楯４を固定させるように構成している（図５参照）。
【００１４】  さらに、前記飾台兼用容箱Ｂは、上縁に沿って載置枠１を周設し、上方開放する箱部２ならびに前記載置枠１に支持して箱部２の上面を覆う  かぶせ蓋３から構成される（図２参照）。
【考案の効果】
【００１５】  以上説明したように、この考案によれば、五月節句用飾鎧の飾り付けに際し、従来のような平飾台を用いる必要や、平飾台の上に鎧櫃を載置する必要は無くなり、シンプル指向の飾り付けができるという効果がある。
また、その飾り付けを極めて簡単に行うことができると共に佩楯の取付け固定を上述の所定個所に的確にでき、また飾台兼用容箱は、飾鎧の飾台機能と、飾鎧の出入目的を兼ねる効果を齎し、更に、鎧飾りには平飾台の使用を省くことができるから、鎧飾りセットの低コストにつながる等の諸効果を奏し得るものである。
【図面の簡単な説明】
【図１】  飾り形態を示す斜視図である。
【図２】  飾台兼用容箱の分解斜視図である。
【図３】  佩楯の正面図である。
【図４】  佩楯の平帯の取付状態を示す概略説明図である。
【図５】  平帯の他の取付状態を示す概略説明図である。
【図面の符号】
Ａ  飾鎧
１  載置枠
２  箱部
３  かぶせ蓋
Ｂ  飾台兼用容箱
４  佩楯
５  平帯
６  平台
【図１】
0003163516.tif 000003
【図２】
0003163516.tif 000004
【図３】
0003163516.tif 000005
【図４】
0003163516.tif 000006
【図５】
0003163516.tif 000007
【手続補正書】
【提出日】平成22年7月29日(2010.7.29)
【手続補正１】
【補正対象書類名】実用新案登録請求の範囲
【補正対象項目名】全文
【補正方法】変更
【補正の内容】
【実用新案登録請求の範囲】
【請求項１】
飾り主体となる鎧の佩楯に取付けられる適宜長さの平帯を、飾台兼用容箱のかぶせ蓋の角面上に斜めに這わせ、かつ、この平帯の両端を、前記かぶせ蓋と身との相互間に  かませることで佩楯を固定させることができることを特徴としている五月節句用飾鎧。
【請求項２】
飾り主体となる鎧の佩楯に取付けられる適宜長さの平帯の両端を、飾台兼用容箱の  かぶせ蓋の上面に載置する平台の角面上に斜めに這わせ、かつ、この平帯の両端を平台の下側と前記かぶせ蓋  との間に折り込むようにすることで佩楯を固定させることを特徴としている請求項１記載の五月節句用飾鎧。
【請求項３】
前記飾台兼用容箱は、上縁に沿って載置枠を周設し、上方開放する箱部ならびに前記載台枠に支持して箱部の上面を覆う  かぶせ蓋からなることを特徴としている請求項１記載の五月節句用飾鎧。